(57)【要約】【課題】繰り返される圧力変動によってディスチャージフランジボルトが破断するのを防止し、摺動隙間の調整を確実に行う。【解決手段】一対の吸込吐出口１Ｌ、１Ｒを設けたホッパー１と、一対の吸込吐出口１Ｌ、１Ｒに各々一端を開口して取付けた一対のポンプシリンダ４Ｌ、４Ｒと、ホッパー１内に揺動可能に設けられ先端部２Ｔが各吸込吐出口１Ｌ、１Ｒに臨む位置へ交互に移動して各ポンプシリンダ４Ｌ、４Ｒの吸込みと吐出とを切換える揺動管２とを備えた揺動管方式のピストンポンプにおいて、揺動管２に輸送管を接続するためのディスチャージフランジ２１を、ホッパー１の揺動管支持部１Ｓに調整シム２３とともに一体となるよう固定する。【選択図】　図１
2004116453.tif 000002
【特許請求の範囲】
【請求項１】
一対の吸込吐出口を設けたホッパーと、一対の吸込吐出口に各々一端を開口して取付けた一対のポンプシリンダと、ホッパー内に揺動可能に設けられ先端部が各吸込吐出口に臨む位置へ交互に移動して各ポンプシリンダの吸込みと吐出とを切換える揺動管とを備えた揺動管方式のピストンポンプにおいて、揺動管に輸送管を接続するためのディスチャージフランジをホッパーの揺動管支持部に調整シムとともに一体となるよう固定したピストンポンプのディスチャージフランジ固定構造。
【発明の詳細な説明】
【０００１】
【発明の属する技術分野】
本発明は、建築、土木工事における流動性の乏しい低スランプのコンクリートや土砂の圧送、あるいは、下水処理場やし尿処理場における低含水率の脱水汚泥の圧送等に用いられる揺動管方式のピストンポンプのディスチャージフランジ固定構造に関するものである。
【０００２】
【従来の技術】
一般に、揺動管方式のピストンポンプは、図２及び図３に示すように、ホッパー１の背壁１Ｂの下部に左右一対の吸込吐出口１Ｌ、１Ｒを設け、ホッパー１の背部には、吸込吐出口１Ｌ、１Ｒにそれぞれ一端が開口したポンプシリンダ４Ｌ、４Ｒを取付けている。ポンプシリンダ４Ｌ、４Ｒ内には、それぞれ搬送ピストン７を備えており、この搬送ピストン７は、駆動シリンダ６Ｌ、６Ｒによって交互に往復動されるようになっている。ポンプシリンダ４Ｌ、４Ｒと駆動シリンダ６Ｌ、６Ｒとの接合部には水封箱５が設けられている。
【０００３】
ホッパー１内には、揺動管２が設置されている。この揺動管２は、基端部２Ｂがホッパー１の前壁１Ｆに回動可能に支持されており、揺動管２の中間部には、ホッパー１の背壁１Ｂに回動可能に支持された揺動管軸１０の一端が固定されている。揺動管軸１０の回転中心と揺動管２の基端部２Ｂの回転中心とは同一線Ｏ上にある。ホッパー１の背壁１Ｂ外に延出した揺動管軸１０の他端には、切換レバー１１が固着され、この切換レバー１１とホッパー１との間に切換シリンダ１２Ｌ、１２Ｒが取付けられていて、切換シリンダ１２Ｌ、１２Ｒの一方が伸長するとき他方が縮小するようになっている。
【０００４】
切換シリンダ１２Ｌ、１２Ｒが伸縮すると、揺動管軸１０が回動して、揺動管２は左右に揺動され、揺動管２の先端部２Ｔが交互に左右の吸込吐出口１Ｌ、１Ｒに臨む位置へ移動する。
ホッパー１の吸込吐出口１Ｌ、１Ｒの周囲の揺動管２の先端部２Ｔが摺接する部分には、吸込吐出口１Ｌ、１Ｒを形成する左右一対の開口を備えた交換可能な摺動プレート８が取付けられている。また、揺動管２の先端部２Ｔは、摺動プレート８に圧接されて摺動するので、交換可能なウェアリング３が取付けられている。この摺動プレート８とウェアリング３とには、耐摩耗材が使用される。揺動管２の基端部２Ｂには、輸送管（図示略）が接続される。
【０００５】
土砂等の輸送対象物を輸送するときには、ホッパー１内に輸送対象物が投入される。そこで、一方（例えば右側）の搬送ピストン７を後退させてポンプシリンダ４Ｒ内に輸送対象物を吸込んだ後、揺動管２を揺動させて先端部２Ｔをそのポンプシリンダ４Ｒ側の吸込吐出口１Ｒに臨ませ、搬送ピストン７を前進させてポンプシリンダ４Ｒ内の輸送対象物を揺動管２から輸送管へ吐出する。一方のポンプシリンダ４Ｒが吐出行程にあるとき、他方のポンプシリンダ４Ｌでは搬送ピストン７を後退させてポンプシリンダ４Ｌ内に輸送対象物を吸込む。
【０００６】
次に、揺動管２を揺動させて先端部２Ｔを他方のポンプシリンダ４Ｌ側の吸込吐出口１Ｌに臨ませ、搬送ピストン７を前進させてポンプシリンダ４Ｌ内の輸送対象物を揺動管２から吐出する。この吸込行程と吐出行程とを左右交互に行うことにより継続的に輸送対象物を輸送する。
このような揺動管方式のピストンポンプには、従来、図４に示すように、揺動管２の基端部２Ｂに輸送管を接続するためのディスチャージフランジ４１が、ホッパー１の前壁１Ｆの揺動管支持部１Ｓから離隔した状態でディスチャージフランジボルト４２とアジャストナット４３とを用いて固定されていた（特許文献１参照）。
【０００７】
【特許文献１】
特開平１０−２０５４３５号公報（第５頁、第１図）
【０００８】
【発明が解決しようとする課題】
ところが、従来の揺動管方式のピストンポンプでは、輸送対象物を輸送するときディスチャージフランジ４１に高圧力が作用し、左右のポンプシリンダ４Ｌ、４Ｒの吐出切換えに伴って繰り返される圧力変動によってディスチャージフランジボルト４２が破断する等の問題があった。
【０００９】
また、揺動管２が回動するため、揺動管２とディスチャージフランジ４１の対向する端面間には、摺動隙間の確保が必要であり、この摺動隙間はディスチャージフランジボルト４２に取付けたアジャストナット４３によって調整していたが、均一な隙間の調整は困難であった。
本発明は、揺動管方式のピストンポンプのディスチャージフランジにおける上記問題を解決するものであって、繰り返される圧力変動によってディスチャージフランジボルト２２が破断するのを防止し、摺動隙間の調整を確実に行うことのできるピストンポンプのディスチャージフランジ固定構造を提供することを目的とする。
【００１０】
【課題を解決するための手段】
本発明のディスチャージフランジ固定構造では、一対の吸込吐出口を設けたホッパーと、一対の吸込吐出口に各々一端を開口して取付けた一対のポンプシリンダと、ホッパー内に揺動可能に設けられ先端部が各吸込吐出口に臨む位置へ交互に移動して各ポンプシリンダの吸込みと吐出とを切換える揺動管とを備えた揺動管方式のピストンポンプにおいて、揺動管に輸送管を接続するためのディスチャージフランジを、ホッパーの揺動管支持部に調整シムとともに一体となるよう固定することにより上記課題を解決している。
【００１１】
このピストンポンプのディスチャージフランジ固定構造によれば、ディスチャージフランジが、ホッパーの前壁の揺動管支持部から離隔しないよう揺動管支持部に一体となるよう固定されているので、輸送対象物を輸送するときディスチャージフランジに繰り返し負荷される圧力変動によってディスチャージフランジボルトが破断するのを防止できる。
【００１２】
また、揺動管が回動するため、揺動管とディスチャージフランジの対向する端面間には摺動隙間の確保が必要であるが、揺動管支持部とディスチャージフランジとの間に挿入される調整シムにより、均一かつ確実な摺動隙間の調整が可能となる。
【００１３】
【発明の実施の形態】
図１は本発明の実施の一形態であるディスチャージフランジ固定構造を示すホッパーの要部縦断面図である。
ここで、ピストンポンプの基本的構成は、図２及び図３に示す従来のものと同様であって、ホッパー１の背壁１Ｂの下部に左右一対の吸込吐出口１Ｌ、１Ｒを設け、ホッパー１の背部には、吸込吐出口１Ｌ、１Ｒにそれぞれ一端が開口したポンプシリンダ４Ｌ、４Ｒを取付けている。ポンプシリンダ４Ｌ、４Ｒ内には、それぞれ搬送ピストン７を備えており、この搬送ピストン７は、駆動シリンダ６Ｌ、６Ｒによって交互に往復動されるようになっている。ポンプシリンダ４Ｌ、４Ｒと駆動シリンダ６Ｌ、６Ｒとの接合部には水封箱５が設けられている。
【００１４】
ホッパー１内には、揺動管２が設置されている。この揺動管２は、基端部２Ｂがホッパー１の前壁１Ｆに回動可能に支持されており、揺動管２の中間部には、ホッパー１の背壁１Ｂに回動可能に支持された揺動管軸１０の一端が固定されている。揺動管軸１０の回転中心と揺動管２の基端部２Ｂの回転中心とは同一線Ｏ上にある。ホッパー１の背壁１Ｂ外に延出した揺動管軸１０の他端には、切換レバー１１が固着され、この切換レバー１１とホッパー１との間に切換シリンダ１２Ｌ、１２Ｒが取付けられていて、切換シリンダ１２Ｌ、１２Ｒの一方が伸長するとき他方が縮小するようになっている。
【００１５】
切換シリンダ１２Ｌ、１２Ｒが伸縮すると、揺動管軸１０が回動して、揺動管２は左右に揺動され、揺動管２の先端部２Ｔが交互に左右の吸込吐出口１Ｌ、１Ｒに臨む位置へ移動する。
ホッパー１の吸込吐出口１Ｌ、１Ｒの周囲の揺動管２の先端部２Ｔが摺接する部分には、吸込吐出口１Ｌ、１Ｒを形成する左右一対の開口を備えた交換可能な摺動プレート８が取付けられている。また、揺動管２の先端部２Ｔは、摺動プレート８に圧接されて摺動するので、交換可能なウェアリング３が取付けられている。この摺動プレート８とウェアリング３とには、耐摩耗材が使用される。揺動管２の基端部２Ｂには、輸送管（図示略）が接続される。
【００１６】
そのため、揺動管２の基端部２Ｂには、輸送管を接続するためのディスチャージフランジ２１が設けられている。
このディスチャージフランジ２１は、ホッパー１の前壁１Ｆの揺動管支持部１Ｓに一体となるよう、ディスチャージフランジボルト２２で固定されている。
また、揺動管２が回動するため、揺動管２とディスチャージフランジ２１の対向する端面間には、摺動隙間の確保が必要である。この摺動隙間を調整するため、揺動管支持部１Ｓとディスチャージフランジ２１との間には調整シム２３が挿入されている。
【００１７】
このピストンポンプのディスチャージフランジ固定構造によれば、ディスチャージフランジ２１が、ホッパー１の前壁１Ｆの揺動管支持部１Ｓから離隔しないよう揺動管支持部１Ｓに一体となるよう固定されているので、輸送対象物を輸送するときディスチャージフランジ２１に繰り返し負荷される圧力変動によってディスチャージフランジボルト２２が破断するのを防止できる。
【００１８】
また、揺動管２が回動するため、揺動管２とディスチャージフランジ２１の対向する端面間には摺動隙間の確保が必要であるが、揺動管支持部１Ｓとディスチャージフランジ２１との間に挿入される調整シム２３により、均一かつ確実な摺動隙間の調整が可能となる。
【００１９】
【発明の効果】
以上説明したように、本発明のピストンポンプのディスチャージフランジ固定構造によれば、ディスチャージフランジが、ホッパーの前壁の揺動管支持部から離隔しないよう揺動管支持部に一体となるよう固定されているので、輸送対象物を輸送するときディスチャージフランジに繰り返し負荷される圧力変動によってディスチャージフランジボルトが破断するのを防止できる。
【００２０】
また、揺動管が回動するため、揺動管とディスチャージフランジの対向する端面間には摺動隙間の確保が必要であるが、揺動管支持部とディスチャージフランジとの間に挿入される調整シムにより、均一かつ確実な摺動隙間の調整が可能となる。
【図面の簡単な説明】
【図１】本発明の実施の一形態であるディスチャージフランジ固定構造を示すホッパーの要部縦断面図である。
【図２】従来のピストンポンプの構成を示す平面図である。
【図３】従来のピストンポンプの構成を示す要部縦断面図である。
【図４】従来のピストンポンプのディスチャージフランジ固定構造を示すホッパーの要部縦断面図である。
【符号の説明】
１　　　ホッパー
１Ｂ　　背壁
１Ｆ　　前壁
１Ｌ、１Ｒ　　吸込吐出口
１Ｓ　　揺動管支持部
２　　　揺動管
２Ｂ　　基端部
２Ｔ　　先端部
３　　　ウェアリング
４Ｌ、４Ｒ　　ポンプシリンダ
８　　　摺動プレート
１０　　揺動軸
２１　　ディスチャージフランジ
２２　　ディスチャージフランジボルト
２３　　調整シム
【図１】
2004116453.tif 000003
【図２】
2004116453.tif 000004
【図３】
2004116453.tif 000005
【図４】
2004116453.tif 000006